(57)【要約】【課題】各扉の設備機器の配線と点検を容易にする。【解決手段】管理対象施設内の扉１−１〜１−３付近に設置されたＩＣカード２−１〜２−３と、携帯電話機６と、管理装置４とを有し、携帯電話機６は、扉１−１〜１−３に接近したときにＩＣカード２−１〜２−３から位置情報を読み取る読取手段と、固有の個人識別情報と位置情報とを管理装置４に送信する送信手段とを備え、管理装置４は、個人識別情報で特定される個人が位置情報で特定される扉を通行可能かどうかを、個人毎に設定された通行許可情報により判定する照合手段と、照合手段が通行可と判定したときに位置情報に対応する扉の電気錠３−１〜３−３を解錠する電気錠制御手段とを備える。【選択図】  図１
2007132031.tif 000002
【特許請求の範囲】
【請求項１】
管理対象施設内の扉付近に設置された記憶媒体と、無線通信機能を備えた携帯端末装置と、施設内を通行する個人の入退室を管理する管理装置とからなる入退室管理システムであって、
前記携帯端末装置は、
前記施設内の扉に接近したとき又は所定の操作がなされたときに、前記記憶媒体から位置情報を読み取る読取手段と、
自装置の所有者に固有の個人識別情報と前記読取手段が読み取った位置情報とを前記管理装置に送信する送信手段とを備え、
前記管理装置は、
前記個人識別情報で特定される個人が前記位置情報で特定される扉を通行可能かどうかを、個人毎に設定された通行許可情報により判定する照合手段と、
前記照合手段が通行可と判定したときに前記位置情報に対応する扉の電気錠を解錠する電気錠制御手段とを備えることを特徴とする入退室管理システム。
【請求項２】
請求項１記載の入退室管理システムにおいて、
さらに、前記管理装置は、前記照合手段の判定結果を前記携帯端末装置に通知する通知手段を備え、
前記携帯端末装置は、前記通知された判定結果を表示する表示手段を備えることを特徴とする入退室管理システム。
【請求項３】
携帯端末装置が管理対象施設内の扉に接近したとき又は所定の操作がなされたときに、この扉付近に設置された記憶媒体から位置情報を読み取る読取手順と、
前記携帯端末装置が自装置の所有者に固有の個人識別情報と前記読取手順で読み取った位置情報とを管理装置に送信する送信手順と、
前記個人識別情報で特定される個人が前記位置情報で特定される扉を通行可能かどうかを、前記管理装置が個人毎に設定された通行許可情報により判定する照合手順と、
前記管理装置が前記照合手順で通行可と判定したときに前記位置情報に対応する扉の電気錠を解錠する電気錠制御手順とを有することを特徴とする入退室管理方法。
【発明の詳細な説明】
【技術分野】
【０００１】
本発明は、例えば研究施設等の施設内を通行する個人の入退室を管理する入退室管理システムおよび入退室管理方法に関するものである。
【背景技術】
【０００２】
従来より、例えば研究施設などにおいて、施設内を通行する利用者のＩＣカードにより利用者の入退室を管理する入退室管理システムが普及している。図８は従来の入退室管理システムの構成を示すブロック図である。図８において、１２−１〜１２−３は例えば研究施設等の管理対象施設内の各扉１１−１〜１１−３付近に設置されたカードリーダ、１３−１〜１３−３は各扉１１−１〜１１−３に設置された電気錠、１４は管理装置、１５は管理装置１４とカードリーダ１２−１〜１２−３および電気錠１３−１〜１３−３とを接続するネットワーク、１６は施設内に出入りする利用者が所持するＩＣカードである。
【０００３】
以下、図８の入退室管理システムの動作を図９を用いて説明する。利用者は、例えば扉１１−１を通行しようとする場合、自身が所持するＩＣカード１６をカードリーダ１２−１にかざす。ＩＣカード１６には、固有の識別ＩＤが予め記録されている。カードリーダ１２−１は、ＩＣカード１６から識別ＩＤを読み取る（図９ステップＳ２１）。そして、カードリーダ１２−１は、自装置のリーダアドレスとＩＣカード１６から読み出した識別ＩＤとを含む照合要求を管理装置１４に送信する（ステップＳ２２）。
【０００４】
管理装置１４は、照合要求を受信すると、識別ＩＤで特定される利用者がリーダアドレスで特定される扉を通行可能かどうかを、予め個人毎に登録された通行許可情報により判定する（ステップＳ２３）。そして、管理装置１４は通行可と判定した場合、リーダアドレスに対応する扉の電気錠１３−１に対して解錠指令信号を送る（ステップＳ２４）。扉１１−１の電気錠１３−１は、解錠指令信号を受信した場合、解錠する（ステップＳ２５）。こうして、利用者は、扉１１−１を通行することができる。また、管理装置１４はステップＳ２３において通行不可と判定した場合、解錠指令信号を出力しないので、利用者の通行が拒否される。
【０００５】
以上のような入退室管理システムでは、ＩＣカードからＩＤ番号を読み取るカードリーダを扉の近くに設置する必要があり、各カードリーダと管理装置との間の配線が必要となる。したがって、カードリーダを自由に設置することができないという問題があった。
そこで、このような問題を解決する入退室管理システムが提案されている（例えば、特許文献１、特許文献２参照）。
【０００６】
特許文献１に開示された入退室管理システムは、扉に設置された発信手段から利用者の携帯電話機へ位置情報となる扉アドレスを無線送信し、携帯電話機が発信手段から受信した扉アドレスを管理装置に電話送信し、管理装置が携帯電話機の電話番号に基づいて利用者の通行可否を判定して、通行可否情報を携帯電話機に電話送信し、携帯電話機が管理装置から受信した通行可否情報を扉の受信手段に無線送信し、受信手段が携帯電話機から受信した通行可否情報に基いて扉の開閉を制御するようにしたものである。
【０００７】
また、特許文献２に開示された入退室管理システムは、利用者の携帯電話機から扉に設置されたゲート装置へ個人識別情報を無線送信し、ゲート装置がランダムな暗証番号を生成して携帯電話機へ無線送信し、携帯電話機がゲート装置から受信した暗証番号を表示して、利用者に暗証番号をゲート装置へ入力させ、ゲート装置が暗証番号に基づいて利用者の通行可否を判定して、この判定結果により扉の開閉を制御するようにしたものである。
【０００８】
特許文献１，２に開示された入退室管理システムでは、ＩＣカードの代わりに利用者の携帯電話機を用いることで、カードリーダを設置する必要がなくなる。
【０００９】
【特許文献１】特開２００２−１６１６５６号公報
【特許文献２】特開２００２−２１３１２６号公報
【発明の開示】
【発明が解決しようとする課題】
【００１０】
しかしながら、特許文献１に開示された入退室管理システムでは、扉毎に発信手段と受信手段と電気錠とを設置する必要があり、これら３つの設備機器のそれぞれに電源を供給する必要があった。また、特許文献１に開示された入退室管理システムでは、扉毎に３つの設備機器の動作を点検する必要があった。このように、特許文献１に開示された入退室管理システムでは、扉毎の配線と点検箇所が多いという問題点があった。
一方、特許文献２に開示された入退室管理システムでは、扉に設置する設備機器がゲート装置と電気錠の２つとなり、特許文献１に開示された入退室管理システムに比べて扉毎の設備機器の数を減らすことができる。しかし、特許文献２に開示された入退室管理システムでは、個人識別情報と通行可否情報とを対応させてゲート装置に予め登録しておく必要があり、例えば企業内の人事移動等により扉を通行する利用者が変わると、各扉のゲート装置に登録されている情報を扉毎に更新する必要があり、扉毎の点検作業が煩雑になるという問題点があった。
【００１１】
本発明は、上記課題を解決するためになされたもので、各扉の設備機器の配線と点検を容易にすることができる入退室管理システムおよび入退室管理方法を提供することを目的とする。
【課題を解決するための手段】
【００１２】
本発明は、管理対象施設内の扉付近に設置された記憶媒体と、無線通信機能を備えた携帯端末装置と、施設内を通行する個人の入退室を管理する管理装置とからなる入退室管理システムであって、前記携帯端末装置は、前記施設内の扉に接近したとき又は所定の操作がなされたときに、前記記憶媒体から位置情報を読み取る読取手段と、自装置の所有者に固有の個人識別情報と前記読取手段が読み取った位置情報とを前記管理装置に送信する送信手段とを備え、前記管理装置は、前記個人識別情報で特定される個人が前記位置情報で特定される扉を通行可能かどうかを、個人毎に設定された通行許可情報により判定する照合手段と、前記照合手段が通行可と判定したときに前記位置情報に対応する扉の電気錠を解錠する電気錠制御手段とを備えるものである。
また、本発明の入退室管理システムの１構成例において、さらに、前記管理装置は、前記照合手段の判定結果を前記携帯端末装置に通知する通知手段を備え、前記携帯端末装置は、前記通知された判定結果を表示する表示手段を備えるものである。
【００１３】
また、本発明の入退室管理方法は、携帯端末装置が管理対象施設内の扉に接近したとき又は所定の操作がなされたときに、この扉付近に設置された記憶媒体から位置情報を読み取る読取手順と、前記携帯端末装置が自装置の所有者に固有の個人識別情報と前記読取手順で読み取った位置情報とを管理装置に送信する送信手順と、前記個人識別情報で特定される個人が前記位置情報で特定される扉を通行可能かどうかを、前記管理装置が個人毎に設定された通行許可情報により判定する照合手順と、前記管理装置が前記照合手順で通行可と判定したときに前記位置情報に対応する扉の電気錠を解錠する電気錠制御手順とを有するものである。
【発明の効果】
【００１４】
本発明によれば、扉毎に記憶媒体と電気錠を設置すればよく、これら２つの設備機器の動作を点検すればよいので、従来の入退室管理システムに比べて各扉の設備機器の配線と点検を容易にすることができる。
【００１５】
また、本発明では、管理装置から通行可否の判定結果を携帯端末装置に通知し、携帯端末装置で判定結果を表示することにより、通行を拒否された人が扉が開かない理由を知ることができる。
【発明を実施するための最良の形態】
【００１６】
以下、本発明の実施の形態について図面を参照して説明する。図１は本発明の実施の形態となる入退室管理システムの構成を示すブロック図である。図１において、２−１〜２−３は例えば研究施設等の管理対象施設内の各扉１−１〜１−３付近に設置された記憶媒体となるＩＣカード、３−１〜３−３は各扉１−１〜１−３に設置された電気錠、４は管理装置、５は管理装置４と電気錠３−１〜３−３とを接続するネットワーク、６は施設内に出入りする利用者が所持する携帯端末装置となる携帯電話機である。
【００１７】
ＩＣカード２−１〜２−３は、例えばＲＦＩＤ（Radio Frequency Identification）の技術を用いて、携帯電話機６と非接触で通信することができる。なお、携帯電話機６からの電波を受けて、この電波を電力に変換する無電源型のＩＣカード２−１〜２−３を使用すれば、ＩＣカード２−１〜２−３への電源供給は不要になる。
図２は携帯電話機６の１構成例を示すブロック図である。携帯電話機６は、公衆網を介した通信相手との通信機能を実現する送受信部６０と、ＩＣカード２−１〜２−３との通信機能を実現するカードインタフェース部６１と、利用者が携帯電話機６に対して文字やダイヤルを入力するための操作部６２と、利用者に対して情報を表示する表示部６３と、利用者に固有の個人識別ＩＤを予め記憶する記憶部６４と、携帯電話機全体を制御する制御部６５とを有する。
【００１８】
図３は管理装置４の１構成例を示すブロック図である。管理装置４は、公衆網を介した携帯電話機６との通信機能を実現する送受信部４０と、情報を記憶する記憶部４３と、管理装置全体を制御する制御部４４とを有する。制御部４４は、利用者の通行可否を判定する照合手段と、通行可否の判定結果に基づいて電気錠３−１〜３−３を制御する電気錠制御手段とを構成している。
【００１９】
以下、本実施の形態の入退室管理システムの動作を説明する。図４は入退室管理システムの動作を示すフローチャート、図５は入退室管理システムの動作を示すシーケンス図である。利用者は、例えば扉１−１を通行しようとする場合、自身が所持する携帯電話機６をＩＣカード２−１にかざす。各ＩＣカード２−１〜２−３の図示しない記憶部には、ＩＣカード２−１〜２−３の設置場所に固有の位置情報である場所ＩＤが予め登録されている。
【００２０】
携帯電話機６のカードインタフェース部６１は、ＩＣカード２−１との通信可能範囲内に接近すると、ＩＣカード２−１と通信して、ＩＣカード２−１に対して場所ＩＤを要求し（図４ステップＳ１、図５ステップＳ１１）、ＩＣカード２−１から場所ＩＤを読み取る（図４ステップＳ２、図５ステップＳ１２）。なお、ここでは、携帯電話機６がＩＣカード２−１に接近すると場所ＩＤを自動的に読み取るようにしているが、携帯電話機６を所持する利用者が携帯電話機６に対して所定の操作をしたときに、携帯電話機６がＩＣカード２−１から場所ＩＤを読み取るようにしてもよい。
【００２１】
続いて、携帯電話機６の制御部６５は、送受信部６０を通じて管理装置４を呼び出す自動発信を行う。管理装置４が公衆網を介してこの呼び出しに応答すると、制御部６５は、個人識別ＩＤを記憶部６４から読み出して、この個人識別ＩＤとＩＣカード２−１から読み出した場所ＩＤとを含む照合要求を管理装置４に送信する（図４ステップＳ３、図５ステップＳ１３）。
【００２２】
管理装置４の制御部４４は、送受信部４０が公衆網から照合要求を受信すると、この照合要求に含まれる個人識別ＩＤおよび場所ＩＤと、記憶部４３に予め登録されている通行許可情報ＭＢ１に基づいて、利用者の通行可否を判定する（図４ステップＳ４、図５ステップＳ１４）。図６に通行許可情報ＭＢ１の１例を示す。通行許可情報ＭＢ１は、個人識別ＩＤ毎および場所ＩＤ毎に通行可否フラグが設定されたものである。図６の例では、「○」は通行可を示し、「×」は通行不可を示している。
【００２３】
制御部４４は、個人識別ＩＤで特定される利用者が場所ＩＤで特定される扉を通行可能かどうかを通行許可情報ＭＢ１により判定する。ここでは、携帯電話機６に予め登録されている個人識別ＩＤを「０００００００００１」とし、ＩＣカード２−１に予め登録されている場所ＩＤを「１」とする。これらの個人識別ＩＤおよび場所ＩＤに対応する通行可否フラグが「○」となっているので、制御部４４は通行可と判定する。
【００２４】
制御部４４は、ステップＳ４において通行可と判定した場合、照合要求に含まれる場所ＩＤに対応する電気錠のアドレスを、記憶部４３に予め登録されているアドレス管理情報ＭＢ２から取得し、この電気錠アドレスを宛先アドレスとする解錠指令信号をネットワーク５に送出する（図４ステップＳ５、図５ステップＳ１５）。図７にアドレス管理情報ＭＢ２の１例を示す。アドレス管理情報ＭＢ２は、場所ＩＤと電気錠アドレスとを対応付けたものである。
【００２５】
扉１−１の電気錠３−１は、ネットワーク５から自装置のアドレスを宛先アドレスとする解錠指令信号を受信した場合、解錠する（図４ステップＳ６、図５ステップＳ１６）。こうして、利用者は、扉１−１を通行することができる。このとき、制御部４４は、記憶部４３に格納された通行履歴を書き換え、個人識別ＩＤ「０００００００００１」で特定される利用者が場所ＩＤ「１」で特定される扉１−１を通行したことを通行履歴として記憶部４３に書き込む。これにより、利用者の通行履歴が管理装置４に記録される。
なお、制御部４４はステップＳ４において通行不可と判定した場合、解錠指令信号を出力しないので、利用者の通行が拒否される。
【００２６】
以上のように、本実施の形態では、扉毎に設置したＩＣカード２−１〜２−３と電気錠３−１〜３−３の動作を点検すればよく、また人事移動等により扉を通行する利用者が変わったとしても、管理装置４に登録されている通行許可情報ＭＢ１を更新すればよく、各扉のＩＣカード２−１〜２−３や電気錠３−１〜３−３には通行許可情報を登録していないので、特許文献１，２に開示された入退室管理システムに比べて各扉の設備機器の点検を容易にすることができる。また、ＩＣカード２−１〜２−３として無電源型のＩＣカードを使用すれば、電気錠３−１〜３−３に電源を供給するだけでよいので、設備機器への電源供給を簡素化することができる。その結果、本実施の形態では、各扉の設備機器の配線と点検を容易にすることができる。
【００２７】
なお、本実施の形態では、個人識別情報の１例として携帯電話機６が記憶している個人識別ＩＤを用いたが、個人識別ＩＤの代わりに携帯電話機６の電話番号を用いてもよい。
また、管理装置４は、ステップＳ４における判定結果を送受信部４０を通じて携帯電話機６に電話送信し、携帯電話機６の制御部６５は、送受信部６０で受信した判定結果を表示部６３に表示させるようにしてもよい。これにより、通行を拒否された利用者は、扉が開かない理由を知ることができる。
【産業上の利用可能性】
【００２８】
本発明は、入退室管理システムに適用することができる。
【図面の簡単な説明】
【００２９】
【図１】本発明の実施の形態となる入退室管理システムの構成を示すブロック図である。
【図２】図１の入退室管理システムにおける携帯電話機の１構成例を示すブロック図である。
【図３】図１の入退室管理システムにおける管理装置の１構成例を示すブロック図である。
【図４】図１の入退室管理システムの動作を示すフローチャートである。
【図５】図１の入退室管理システムの動作を示すシーケンス図である。
【図６】管理装置に記憶されている通行許可情報の１例を示す図である。
【図７】管理装置に記憶されているアドレス管理情報の１例を示す図である。
【図８】従来の入退室管理システムの構成を示すブロック図である。
【図９】図８の入退室管理システムの動作を示すフローチャートである。
【符号の説明】
【００３０】
１−１〜１−３…扉、２−１〜２−３…ＩＣカード、３−１〜３−３…電気錠、４…管理装置、５…ネットワーク、６…携帯電話機、４０、６０…送受信部、６１…カードインタフェース部、６２…操作部、６３…表示部、４３、６４…記憶部、４４、６５…制御部。
【図１】
2007132031.tif 000003
【図２】
2007132031.tif 000004
【図３】
2007132031.tif 000005
【図４】
2007132031.tif 000006
【図５】
2007132031.tif 000007
【図６】
2007132031.tif 000008
【図７】
2007132031.tif 000009
【図８】
2007132031.tif 000010
【図９】
2007132031.tif 000011